(57)【要約】  【課題】安定して装着することができ、装着時に容易にずれることのない補助下着を提供する。  【解決手段】補助下着１は、人体への装着時に股間の一部に密着して支持する補助部材１０と、補助部材１０を人体に対して牽引装着するための一繋がりの牽引紐３０であって、一端から他端へと順に、補助部材１０の右後端部に接続される右後接続部、補助部材１０の右前端部に接続される右前接続部、補助部材１０の左前端部に接続される左前接続部、補助部材１０の左後端部に接続される左後接続部が位置し、右後接続部と右前接続部との間が右回り牽引紐３１として、左後接続部と左前接続部との間が左回り牽引紐３２として、右前接続部と左前接続部との間が後回り牽引紐３３として機能するする牽引紐３０と、を備える。【選択図】図２
2016074993.tif 000002
【特許請求の範囲】
【請求項１】
人体の股間の一部を部分的に支持する補助下着において、
人体への装着時に股間の一部に密着して支持する補助部材と、
前記補助部材を人体に対して牽引装着するための一繋がりの牽引紐であって、一端から他端へと順に、前記補助部材の右後端部に接続される右後接続部、前記補助部材の右前端部に接続される右前接続部、前記補助部材の左前端部に接続される左前接続部、前記補助部材の左後端部に接続される左後接続部が位置する牽引紐と、を備え、
人体への装着時に、
前記牽引紐の前記右後接続部と前記右前接続部との間が、前記補助部材の前側端部と後側端部とを人体の右足太腿部分の右側回りで連結して牽引する右回り牽引紐として機能し、
前記牽引紐の前記左後接続部と前記左前接続部との間が、前記補助部材の前側端部と後側端部とを人体の左足太腿部分の左側回りで連結して牽引する左回り牽引紐として機能し、
前記牽引紐の前記右前接続部と前記左前接続部との間が、前記補助部材の前側端部の二箇所を人体の後側回りで連結して牽引する後回り牽引紐として機能するように構成されていることを特徴とする補助下着。
【請求項２】
前記牽引紐の前記右前接続部は、前記補助部材の右前端部に対してスライド可能に接続されると共に、前記牽引紐の前記左前接続部は、前記補助部材の左前端部に対してスライド可能に接続されており、
前記右前接続部及び前記左前接続部を前記補助部材に対してスライドさせることで、サイズ調節が可能に構成されていることを特徴とする補助下着。
【請求項３】
前記右回り牽引紐と、前記後回り牽引紐の装着時に前記右回り牽引紐の上方に位置する部分とを所定の位置で締結すると共に、前記左回り牽引紐と、前記後回り牽引紐の装着時に前記左回り牽引紐の上方に位置する部分とを所定の位置で締結する上下紐接続部材をさらに備えることを特徴とする請求項１又は２記載の補助下着。
【請求項４】
前記補助部材の右前端部には、前記牽引紐が通過する右前挿通穴が形成され、前記補助部材の左前端部には、前記牽引紐が通過する左前挿通穴が形成されており、
前記牽引紐の前記右前挿通穴の前後の部分を束ねて締め付けると共に、前記牽引紐の前記左前挿通穴の前後の部分を束ねて締め付ける長さ調整部材をさらに備えることを特徴とする請求項２記載の補助下着。
【発明の詳細な説明】
【技術分野】
【０００１】
本発明は、人体の下半身に装着する下着に関し、特に、股間の一部を部分的に支持する補助下着に関する。
【背景技術】
【０００２】
従来から、人体の股間の一部を部分的に支持する補助下着が提供されている。例えば、水泳等において、陰茎や陰嚢等の局部が露出するのを防ぐために水着等の内部に装着するスポーツ用サポーターが提供されている。
【０００３】
また、下記特許文献１には、陰嚢支持パッドをゴムバンドで支持する構造の補助下着である排尿障害改善用の睾丸支持帯が開示されている。
【先行技術文献】
【特許文献】
【０００４】
【特許文献１】特開２０１３−２３０３４１
【発明の概要】
【発明が解決しようとする課題】
【０００５】
しかし、スポーツ用サポーターは、しっかりと安定して装着するために、一般的に布の面積が広いため、水着やサポーターがずれて、サポーターが外部に露出してしまうケースがあった。
【０００６】
また、睾丸用支持帯は、陰嚢支持パッドの支持箇所が二箇所であるため、陰嚢支持パッドを安定して装着するのが困難であり、陰嚢支持パッドが容易にずれてしまうおそれがある。
【０００７】
本発明は、このような課題に鑑みてなされたものであり、安定して装着することができ、装着時に容易にずれることのない補助下着を提供することを目的とする。
【課題を解決するための手段】
【０００８】
上記課題を解決するための本発明に係る補助下着は、人体の股間の一部を部分的に支持する補助下着において、人体への装着時に股間の一部に密着して支持する補助部材と、前記補助部材を人体に対して牽引装着するための一繋がりの牽引紐であって、一端から他端へと順に、前記補助部材の右後端部に接続される右後接続部、前記補助部材の右前端部に接続される右前接続部、前記補助部材の左前端部に接続される左前接続部、前記補助部材の左後端部に接続される左後接続部が位置する牽引紐と、を備え、人体への装着時に、前記牽引紐の前記右後接続部と前記右前接続部との間が、前記補助部材の前側端部と後側端部とを人体の右足太腿部分の右側回りで連結して牽引する右回り牽引紐として機能し、前記牽引紐の前記左後接続部と前記左前接続部との間が、前記補助部材の前側端部と後側端部とを人体の左足太腿部分の左側回りで連結して牽引する左回り牽引紐として機能し、前記牽引紐の前記右前接続部と前記左前接続部との間が、前記補助部材の前側端部の二箇所を人体の後側回りで連結して牽引する後回り牽引紐として機能するように構成されていることを特徴とする。
【発明の効果】
【０００９】
本発明に係る補助下着によれば、容易にずれることなく、安定して装着することができる。
【図面の簡単な説明】
【００１０】
【図１】図１は、本発明の実施形態に係る補助下着の斜視図である。
【図２】図２は、本発明の実施形態に係る補助下着の牽引紐を広げた状態の斜視図である。
【図３】図３は、本発明の実施形態に係る補助下着の穿く際の望ましい形態を示す平面図である。
【図４】図４は、本発明の実施形態に係る補助下着を人体に装着した状態を示す斜視図である。
【図５】図５は、本発明の実施形態の変形例１に係る補助下着の牽引紐を広げた状態の斜視図である。
【図６】図６は、本発明の実施形態の変形例１にかかる補助下着を人体に装着した状態を示す斜視図である。
【図７】図７は、本発明の実施形態の変形例２に係る補助下着の牽引紐を広げた状態を示す斜視図である。
【発明を実施するための形態】
【００１１】
以下、図面を参照しながら本発明の実施の形態について詳細に説明する。図１は、本発明の実施形態に係る補助下着の斜視図である。図２は、本発明の実施形態に係る補助下着の牽引紐を広げた状態の斜視図である。補助下着１は、人体への装着時に股間の一部に密着して支持する補助部材である正方形の補助布部材１０と、補助布部材を人体に装着するための一繋がりの牽引紐３０と、長さ調整部材５１，５２と、固定部材５３，５４とを備えている。
【００１２】
補助布部材１０は、正方形のストッキング素材の布から形成されており、四辺の周縁部１６は、端部がほつれないように三つ折り縫いがされている。具体的には、補助布部材１０の四辺の周縁部１６は、三つ折りに折り返された状態で、押さえ紐１７により縫い押さえられている。押さえ紐１７は、ストッキング素材の布を丸めて作られた伸縮性を有するストッキング製紐である。
【００１３】
補助布部材１０を構成するストッキング素材の布は高い伸縮性を有しており、伸縮率は2.5倍である。補助布部材１０を構成する素材は、ストッキング素材以外の布を適宜用いることができるが、装着時の保持性や快適性を実現するためには、高伸縮性の布を用いることが望ましく、望ましくは1.5倍以上の伸縮率、さらに望ましくは2倍以上の伸縮率を有する布を補助布部材１０として用いるのが良い。
【００１４】
高伸縮性の布で形成された補助布部材１０は、強い力で引っ張られると組織が破壊された伸びきった状態となったり、破れたりするおそれがある。これに対して、押さえ紐１７により周縁部１６を縫い込んでおくことで、補助布部材１０を補強することができ、補助布部材１０を広げる方向に引っ張られた際の組織の破壊等を防止することができる。
【００１５】
正方形の補助布部材１０の四つの角部には、牽引紐３０を接続するための四つの挿通穴１１〜１４が形成されており、牽引紐３０がこれらの挿通穴に通されることで、補助布部材１０の角部が牽引されて人体へと装着される。
【００１６】
右前挿通穴１１は、人体への装着時に右前に位置する右前角部に形成され、右後挿通穴１２は、人体への装着時に右後に位置する右後角部に形成され、左前挿通穴１３は、人体への装着時に左前に位置する左前角部に形成され、左後挿通穴１４は、人体への装着時に左後に位置する左後角部に成されている。
【００１７】
牽引紐３０は、一本の長尺の紐から一繋がりに構成されており、押さえ紐１７と同様に、ストッキング素材の布を丸めて作った伸縮性の高いストッキング製紐である。牽引紐３０の一端は、右後挿通穴１２に接続固定されており、続いて、右前挿通穴１１を通された後に左前挿通穴１３を通され、その後、牽引紐３０の他端は、左後挿通穴１４に接続固定されている。
【００１８】
ここで、本実施形態では、牽引紐３０の右後挿通穴１２に接続される部分を右後接続部、牽引紐３０の右前挿通穴１１近傍の補助布部材１０に接続される部分を右前接続部、牽引紐３０の左前挿通穴１３近傍の補助布部材１０に接続される部分を左前接続部、牽引紐３０の左後挿通穴１４近傍の補助布部材１０に接続される部分を左後接続部と称する。
【００１９】
牽引紐３０の一端は、右後挿通穴１２に通されて折り返された状態で束ねられて、固定部材５３である締結紐により折返し前後の部分が締め付けられ、右後挿通穴１２に対して牽引紐３０が動かないように固定されている。同じく牽引紐３０の他端は、左後挿通穴１４に通されて折り返された状態で束ねられて、固定部材５４である締結紐により締め付けられ、左後挿通穴１４に対して牽引紐３０が動かないように固定されている。
【００２０】
また、牽引紐３０は、右前挿通穴１１に通された部分で折り返されて束ねられた状態で、長さ調整部材５１である締結紐により折返し前後の部分が締め付けられている。これにより、牽引紐３０が右前挿通穴１１に対してスライドしないように固定されることになる。
【００２１】
同じく、牽引紐３０は、左前挿通穴１３に通された部分で折り返されて束ねられた状態で、長さ調整部材５２である締結紐によって折返し前後の部分が締め付けられている。これにより、牽引紐３０が左前挿通穴１３に対してスライドしないように固定されることになる。
【００２２】
長さ調整部材５１，５２は締結紐であるため、牽引紐３０を強い力で引っ張れば、長さ調整部材５１，５２に対して牽引紐３０を滑らせてスライドさせること、すなわち牽引紐３０を前挿通穴１１，１３に対してスライドさせることが可能である。また、牽引紐３０に対して長さ調整部材５１，５２を前挿通穴１１，１３から離れる方向にスライドさせて、牽引紐３０を前挿通穴１１，１３に対して所定の方向に所定の長さスライドさせた後で、再度長さ調整部材５１，５２を前挿通穴１１，１３近傍まで戻すことでも、牽引紐３０を前挿通穴１１，１３に対してスライドさせることが可能である。
【００２３】
このように、牽引紐３０を右前挿通穴１１や左前挿通穴１３に対して適宜スライドさせることで、牽引紐３０の右前挿通穴１１との接続部である右前接続部や、左前挿通穴１３との接続部である左前接続部の位置を適宜調整することができ、装着者の体型に合わせて、補助下着１のサイズ調整を行うことができる。
【００２４】
ここで、補助下着１の装着時、牽引紐３０のうち、右後接続部（右後挿通穴１２）と右前接続部（右前挿通穴１１）との間に位置する部分は、装着者の右足太腿部分の右側回りに延在する右回り牽引紐３１となり、右前接続部（右前挿通穴１１）と左前接続部（左前挿通穴１３）との間に位置する部分は、装着者の腰の後側回りを延在する後回り牽引紐３３となり、左前接続部（左前挿通穴１３）と左後接続部（左後挿通穴１４）との間に位置する部分は、装着者の左足太腿部分の左側回りに延在する左回り牽引紐３２となる。
【００２５】
以上、補助下着１の構成について説明したが、続いて、補助下着１の装着態様について説明する。図３は、本実施形態に係る補助下着を穿く際の望ましい形態を示す平面図である。図４は、本実施形態に係る補助下着を人体に装着した状態を示す斜視図である。
【００２６】
補助下着１を装着する際には、装着者は、補助下着１が図３に示す状態となるように、牽引紐３０の右回り牽引紐３１によって形成される輪と、左回り牽引紐３２によって形成される輪が左右に広がった状態となるように整えたうえで、後回り牽引紐３３の部分が、後側（図３において下側）に折り曲がった状態であって、補助布部材１０、右回り牽引紐３１及び左回り牽引紐３２の全体を囲むような状態の輪となるように整える。
【００２７】
この状態では、補助布部材１０の右側（図３において右側）に、右回り牽引紐３１による輪と後回り牽引紐３３による輪によって二重に囲まれた領域が形成され、補助布部材１０の左側（図３において左側）に、左回り牽引紐３２による輪と後回り牽引紐３３による輪によって二重に囲まれた領域が形成される。
【００２８】
このような状態から、装着者が右足を右側の二重の輪に通し、左足を左側の二重の輪に通してから、補助布部材１０が股間に密着するように補助下着１全体を上方へと引き上げ、適宜、補助布部材１０や牽引紐３０の位置を調整すれば、図４に示す装着状態となり、装着が完了する。
【００２９】
補助下着１を装着した状態では、牽引紐３０の右回り牽引紐３１は、補助布部材１０の右前接続部と右後接続部とを装着者の右足太腿部分の右側回りで連結して牽引し、左回り牽引紐３２は、補助布部材１０の左前接続部と左後接続部とを装着者の左足太腿部分の左側回りで連結して牽引する。また、牽引紐３０の後回り牽引紐３３は、補助布部材１０の右前接続部と左前接続部とを装着者の腰部分の後側回りで連結して牽引する。
【００３０】
このように、本実施形態では、牽引紐３０により、補助布部材１０の前側部分と後側部分とを人体の右側回りと左側回りで連結牽引により引き寄せると共に、補助布部材１０の前側部分の二箇所を人体の後側回りで連結牽引により引き寄せているので、補助布部材１０を人体の股間部分に安定してしっかりと装着することができる。
【００３１】
もちろん、補助下着１の装着の手順は適宜変更可能であり、例えば、上記実施形態では、太腿回りの右回り牽引紐３１及び左回り牽引紐３２と、腰回りの後回り牽引紐３３とを同時に足に通すようにしたが、右回り牽引紐３１及び左回り牽引紐３２と後回り牽引紐３３とを別々に足に通して装着するようにしても良い。
【００３２】
以上、詳細に説明した補助下着１によれば、牽引紐３０により補助布部材１０を人体に密着させるようにしっかりと牽引して装着することができるので、補助布部材１０により人体の股間の一部を部分的にしっかりと支持することができる。
【００３３】
補助下着１の使用態様としては、男性に着用させる場合であれば、陰茎をしっかりと部分的に支持することができるので、例えば、水着やふんどしのインナー（サポーター）として使用することで、水着やふんどしの中の陰茎が動かないようにしっかり保持することができる。
【００３４】
また、補助下着１は、女性用としても使用することができ、補助布部材１０により女性の股間を部分的に覆うといった使用態様だけでなく、布ナプキンを女性の股間部分に装着するための支持部材としても使用することができる。
【００３５】
（変形例１）
続いて、本発明の実施形態の変形例１について説明する。図５は、本実施形態の変形例１に係る補助下着の牽引紐を広げた状態の斜視図である。図６は、本実施形態の変形例１にかかる補助下着を人体に装着した状態を示す斜視図である。変形例１に係る補助下着２は、上述した補助下着１の構成に加えて、さらに、右回り牽引紐３１と後回り牽引紐３３とを所定の位置で一体に接続して締結する締結紐である上下紐接続部材５５と、左回り牽引紐３２と後回り牽引紐３３とを所定の位置で一体に接続して締結する締結紐である上下紐接続部材５６とを備えることを特徴している。
【００３６】
よって、本変形例１では、上記実施形態と異なる構成についてのみ説明し、上記補助下着１と同じ構成部材には同じ番号を付して説明を省略する。上下紐接続部材５５は、太腿の右側を延在する右回り牽引紐３１と、右回り牽引紐３１の上方において腰の右側を延在する後回り牽引紐３３とを、人体の右側において所定の場所で束ねて一体に接続している。
【００３７】
上下紐接続部材５５は、右回り牽引紐３１及び後回り牽引紐３３の右前接続部から所定の同じ長さ離れた位置に設置されて両者を締結している。上下紐接続部材５５が設置された場所の右前接続部からの距離は、右回り牽引紐３１の部分の全長の約1/3である。
【００３８】
同じく上下紐接続部材５６は、左回り牽引紐３２及び後回り牽引紐３３の左前接続部から所定の同じ長さ離れた位置に設置されて両者を締結している。上下紐接続部材５６が設置された場所の左前接続部からの距離は、左回り牽引紐３２の部分の全長の約1/3である。
【００３９】
上記実施形態に係る補助下着１では、右回り牽引紐３１及び左回り牽引紐３２は、腰の部分を前後に延在する後回り牽引紐３３に対して、補助布部材１０の前側端部から後方に向けて斜め下方に向けて、後回り牽引紐３３とは別体に延在する（図４参照）。
【００４０】
これに対して、本変形例１においては、図６に示すように、補助布部材１０との接続部である右前接続部から上下紐接続部材５５までの間は、右回り牽引紐３１と後回り牽引紐３３とが一体に延在し、左前接続部から上下紐接続部材５６までの間は、左回り牽引紐３２と後回り牽引紐３３とが一体に延在する。
【００４１】
そして、上下紐接続部材５５の位置より後方に向けて、後回り牽引紐３３と右回り牽引紐３１とが上下に分かれて延在し、上下紐接続部材５６より後方に向けて、後回り牽引紐３３と左回り牽引紐３２とが上下に分かれて延在する。
【００４２】
よって、本変形例１によれば、上記実施形態に係る作用効果に加えて、補助布部材１０の前側へのずり上がりを防止でき、適切な位置に安定して装着させることができる。すなわち、上記実施形態では、後回り牽引紐３３は、補助布部材１０の前側端部の二箇所のみを人体の後側回りで連結して牽引しているため、補助布部材１０は、前側端部が引っ張られて前側にずり上がり易い状態で装着されている。
【００４３】
これに対して、本変形例１に係る補助下着２のように、上方に位置する後回り牽引紐３３と、下方に位置する右回り牽引紐３１及び左回り牽引紐３２とを所定の位置で接続することで、右回り牽引紐３１及び左回り牽引紐３２の特に後方部分が上方に引っ張られ、右回り牽引紐３１及び左回り牽引紐３２の補助布部材１０の後側端部を牽引する力が大きくなり、補助布部材１０の前方へのずり上がりを防止することができる。
【００４４】
（変形例２）
続いて、本発明の実施形態の変形例２について説明する。図７は、本実施形態の変形例２に係る補助下着の牽引紐を広げた状態の斜視図である。変形例２に係る補助下着３は、上述した変形例１に係る補助下着２の構成において、伸縮性が高く薄いストッキング素材の布から構成された補助布部材１０の代わりに、補助部材として、伸縮性の低い厚みのあるネル生地で構成された長方形状の補助パッド２０を採用していることを特徴としている。
【００４５】
よって、本変形例２では、上記変形例１と異なる構成についてのみ説明し、上記補助下着２と同じ構成部材には同じ番号を付して説明を省略する。補助パッド２０は、ネル生地を八重程度に折って構成されており、幅広で厚みのある布部材である。本実施形態での補助パッド２０のサイズは、横幅が55mm、縦が27mm、厚みが10mm程度である。
【００４６】
変形例２に係る補助下着３は、骨盤底筋の機能を回復させるための骨盤底筋サポーターとして使用することができる。骨盤底筋は、高齢化等の要因により下がってきて機能が低下し、軽度の尿失禁等を引き起こす要因となっているが、サポーターにより骨盤底筋を支持して持ち上げることで機能を回復させることができると言われている。
【００４７】
よって、補助下着３を装着する際に、牽引紐３０の位置や長さを調整しながら、補助パッド２０が骨盤底筋（尿道括約筋）の場所に位置するようにすれば、牽引紐３０により上方に牽引されて股間の下面に押し付けられている補助パッド２０により、尿道括約筋を上方に押し上げることができ、機能を回復させることができる。
【００４８】
補助パッド２０の形状や素材は、骨盤底筋を良好に押し上げることができる形状や素材であれば、適宜変更することができる。素材としては、布生地に限らず、シリコン等の樹脂や皮等を用いることができるが、骨盤底筋を確実に押し上げるためには、伸縮性の低い低伸縮性素材を用いるのが望ましい。
【００４９】
本変形例２によれば、上記変形例１に係る作用効果に加えて、補助下着３の装着時に、補助パッド２０により垂れ下がった骨盤底筋を押し上げることができ、低下した骨盤底筋の機能を回復させることができる。特に、補助パッド２０は、四隅近傍を四方向に牽引されて装着されており、安定して骨盤底筋を押し上げることができる。
【００５０】
また、本変形例２によれば、補助パッド２０により局所的に所望の骨盤底筋の場所だけを押し上げることができるため、補助下着３を脱ぐこと無く着用したまま排尿を行うことが可能であり、排尿時の骨盤底筋の機能を良好に発揮させることができる。
【００５１】
以上、変形例も含めて本発明の実施形態について説明したが、本発明の実施の形態は、上記実施形態に限定されるものではなく、本発明の主旨を逸脱しない範囲内で種々の変形が可能である。例えば、補助下着を構成する部材のサイズや形状は適宜変更可能である。
【００５２】
また、上記実施形態では、後回り牽引紐が腰の部分で後側を回るように構成しているが、腰回りに限らず、首回りや肩回りで後側を回るように構成しても良い。また、上記実施形態では、サイズ調整可能にするための長さ調整部材として締結紐を採用しているが、紐に限らず、牽引紐の補助部材への接続箇所を適宜変更可能に調整できる部材であれば、クリップ等の樹脂製部品など、適宜他の部材を長さ調整部材として採用することができる。
【００５３】
また、上記実施形態では、牽引紐をスライドさせて補助部材との接続箇所を変更することで、補助下着のサイズ調整を行うようにしているが、牽引紐を補助部材に対してスライドできないように固定したうえで、牽引紐の長さ自体を調整することでサイズ調整を行うようにしても良い。
【００５４】
牽引紐自体の長さ調整を行うための構成としては、エイトカン等のプラスチック部品や金属部品を用いても良いし、複数の牽引紐を結び合わせて一繋がりの牽引紐を構成し、結び場所を変えることで牽引紐の長さを調整するようにしても良い。また、補助下着のサイズ調整ができない構成であっても良い。
【００５５】
また、上記実施形態では、肌触りを重視し、牽引紐としてストッキング素材の布を丸めた紐を使用しているが、一般的な下着等で使用されている軟らかいゴム紐やこのゴム紐を縫い合わせたもの等、適宜他の素材の紐を用いることができる。
【符号の説明】
【００５６】
１，２，３  補助下着
１０        補助布部材
１１        右前挿通穴
１２        右後挿通穴
１３        左前挿通穴
１４        左後挿通穴
１６        周縁部
１７        押さえ紐
２０        補助パッド
２１        右前挿通穴
２２        右後挿通穴
２３        左前挿通穴
２４        左後挿通穴
３０        牽引紐
３１        右回り牽引紐
３２        左回り牽引紐
３３        後回り牽引紐
５１，５２  長さ調整部材
５３，５４  固定部材
５５，５６  上下紐接続部材
【図１】
2016074993.tif 000003
【図２】
2016074993.tif 000004
【図３】
2016074993.tif 000005
【図４】
2016074993.tif 000006
【図５】
2016074993.tif 000007
【図６】
2016074993.tif 000008
【図７】
2016074993.tif 000009